(57)【要約】【課題】  ポストテンション方式ＰＣ構造物のケーブルシース内へのグラウト注入工法において、グラウト注入量、注入圧、シース内真空度等の時間歴を記録・保存するとともに測定データを実時間表示して注入作業の進捗状況の監視・把握を可能にし、また測定データの所定用紙への印字を可能にする。【解決手段】  ポストテンション方式ＰＣ構造物のケーブルシースに圧送ポンプを接続してグラウトを注入する装置、若しくはケーブルシースのグラウト注入側に圧送ポンプを、排出側に真空ポンプを接続し、真空ポンプでシース内を減圧させつつ圧送ポンプを運転してグラウトを注入する装置において、注入圧測定用圧力センサ、グラウト注入量測定用の流量計、シース内の真空度測定用負圧センサ、各測定データを記録・保存する情報管理装置、測定データを実時間で表示するディスプレイ、プリンタ等を備えることによる。【選択図】  図１
2005133397.tif 000002
【特許請求の範囲】
【請求項１】
ポストテンション方式ＰＣ構造物のケーブルシース内に圧送ポンプを用いてグラウトを注入するグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
そして前記圧力センサ、流量計及び積算流量計から時々刻々出力される測定データを収集・記録・保存する情報管理装置とを備えてなることを特徴とするＰＣ構造物のケーブルシース内へのグラウト注入装置。
【請求項２】
ポストテンション方式ＰＣ構造物のケーブルシース内に圧送ポンプを用いてグラウトを注入するグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
そして前記圧力センサ、流量計及び積算流量計から時々刻々出力される測定データを収集・記録・保存する情報管理装置と、
前記情報管理装置に収集・記録される前記測定データの時間的推移を実時間でグラフ表示する手段を備えたディスプレイとを備えてなることを特徴とするＰＣ構造物のケーブルシース内へのグラウト注入装置。
【請求項３】
前記情報管理装置に、注入されるグラウトの水セメント比、使用されるＰＣケーブルの空隙率と長さ、圧送ポンプの吐出量などグラウト注入作業に係わる諸条件を予め入力する手段と、該作業条件に基づいて算出されるグラウトの積算注入量の時間的推移のグラフ及び注入圧力の設定値を前記ディスプレイに表示する手段を備え、これら注入作業の設定条件に基づくグラフと前記圧力センサ、及び積算流量計の測定データの時間的推移を示すグラフとの比較によって、グラウトの注入状況や異常の有無の監視、把握を実時間で可能にしてなることを特徴とする請求項２に記載のＰＣ構造物のケーブルシース内へのグラウト注入装置。
【請求項４】
ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
前記真空ポンプとケーブルシースのグラウト排出口との間に配設されケーブルシース内の真空度を測定する負圧センサと、
そして前記圧力センサ、負圧センサ、流量計及び積算流量計から時々刻々出力される測定データを収集・記録・保存する情報管理装置とを備えてなることを特徴とするＰＣ構造物のケーブルシース内へのグラウト注入装置。
【請求項５】
ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
前記真空ポンプとケーブルシースのグラウト排出口との間に配設されケーブルシース内の真空度を測定する負圧センサと、
そして前記圧力センサ、負圧センサ、流量計及び積算流量計から時々刻々出力される測定データを収集・記録・保存する情報管理装置と、
前記情報管理装置に収集・記録される前記測定データの時間的推移を実時間でグラフ表示する手段を備えたディスプレイとを備えてなることを特徴とするＰＣ構造物のケーブルシース内へのグラウト注入装置。
【請求項６】
前記情報管理装置に、注入されるグラウトの水セメント比、使用するＰＣケーブルの空隙率と長さ、圧送ポンプの吐出量、真空ポンプの吸引負圧などグラウト注入作業に係わる諸条件を予め入力する手段と、該作業条件に基づいて算出されるグラウトの積算注入量の時間的推移のグラフ及び注入圧力と吸引負圧の設定値を前記ディスプレイに表示する手段を備え、これら注入作業の設定条件のグラフと前記圧力センサ、負圧センサ、及び積算流量計の測定データの時間的推移を示すグラフとの比較によって、グラウトの注入状況や異常の有無の監視、把握を実時間で可能にしてなることを特徴とする請求項５に記載のＰＣ構造物のケーブルシース内へのグラウト注入装置。
【請求項７】
前記情報管理装置に記録・保存される測定データを所定の用紙に印字又はグラフ表示する手段を備えたプリンタを備えてなることを特徴とする請求項１〜６のいずれか１項に記載のＰＣ構造物のケーブルシース内へのグラウト注入装置。
【請求項８】
前記情報管理装置に記録・保存された測定データの前記プリンタへの入力手段として、データカード又はオンラインが用いられることを特徴とする請求項７に記載のＰＣ構造物のケーブルシース内へのグラウト注入装置。
【請求項９】
ポストテンション方式ＰＣ構造物のケーブルシース内に圧送ポンプを用いてグラウトを注入するグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウトの注入圧、注入グラウトの単位時間当たりの流量を測定し、またその時間経過に伴う積算量を測定し、
そして前記圧力センサ、流量計及び積算流量計から時々刻々出力される測定データを情報管理装置に収集・記録・保存することを特徴とするＰＣ構造物のケーブルシース内へのグラウト注入工法。
【請求項１０】
ポストテンション方式ＰＣ構造物のケーブルシース内に圧送ポンプを用いてグラウトを注入するグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウト注入圧、注入グラウトの単位時間当たりの流量を測定し、またその時間経過に伴う積算量を測定し、
そして前記圧力センサ、流量計及び積算流量計から時々刻々出力される測定データを情報管理装置に収集・記録・保存し、
前記情報管理装置に収集・記録・保存される前記測定データの時間的推移を実時間でディスプレイにグラフ表示することを特徴とするＰＣ構造物のケーブルシース内へのグラウト注入工法。
【請求項１１】
前記情報管理装置に、注入されるグラウトの水セメント比、使用されるＰＣケーブルの空隙率と長さ、圧送ポンプの吐出量などグラウト注入作業に係わる諸条件を予め入力し、該作業条件に基づいて算出されるグラウトの積算注入量の時間的推移のグラフ、及び注入圧力の設定値を前記ディスプレイに表示し、これら注入作業の設定条件に基づくグラフと前記圧力センサ、及び積算流量計の測定データの時間的推移のグラフとの比較によって、グラウトの注入状況や異常の有無の監視、把握を実時間で可能にすることを特徴とする請求項１０に記載のＰＣ構造物のケーブルシース内へのグラウト注入工法。
【請求項１２】
ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウトの注入圧、注入グラウトの単位時間当たりの流量を測定し、またその時間経過に伴う積算量を測定し、
さらに、前記真空ポンプとケーブルシースのグラウト排出口との間にケーブルシース内の真空度を測定する負圧センサを配設して、ケーブルシース内の真空度を測定し、
そして前記圧力センサ、負圧センサ、流量計及び積算流量計から時々刻々出力される測定データを情報管理装置に収集・記録・保存することを特徴とするＰＣ構造物のケーブルシース内へのグラウト注入工法。
【請求項１３】
ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウト注入圧力、注入グラウトの単位時間当たりの流量を測定し、またその時間経過に伴う積算量を測定し、
さらに、前記真空ポンプとケーブルシースのグラウト排出口との間にケーブルシース内の真空度を測定する負圧センサを配設して、ケーブルシース内の真空度を測定し、
そして前記圧力センサ、負圧センサ、流量計及び積算流量計から時々刻々出力される測定データを情報管理装置に収集・記録・保存し、
前記情報管理装置に収集・記録・保存される前記測定データの時間的推移を実時間でディスプレイにグラフ表示することを特徴とするＰＣ構造物のケーブルシース内へのグラウト注入工法。
【請求項１４】
前記情報管理装置に、注入されるグラウトの水セメント比、使用されるＰＣケーブルの空隙率と長さ、圧送ポンプの吐出量、真空ポンプの吸引負圧などグラウト注入作業に係わる諸条件を予め入力し、該作業条件に基づいて算出されるグラウトの積算注入量の時間的推移のグラフ、及び注入圧力と吸引負圧の設定値を前記ディスプレイに表示し、これら注入作業の設定条件に基づくグラフと前記圧力センサ、負圧センサ及び積算流量計の測定データの時間的推移のグラフとの比較によって、グラウトの注入状況や異常の有無の監視、把握を実時間で可能にすることを特徴とする請求項１３に記載のＰＣ構造物のケーブルシース内へのグラウト注入工法。
【請求項１５】
前記情報管理装置に記録・保存される測定データをプリンタを用いて所定の用紙に印字又はグラフ表示することを特徴とする請求項９〜１４のいずれか１項に記載のＰＣ構造物のケーブルシース内へのグラウト注入工法。
【請求項１６】
前記情報管理装置に記録・保存された測定データの前記プリンタへの入力を、データカード又はオンラインで行うことを特徴とする請求項１５に記載のＰＣ構造物のケーブルシース内へのグラウト注入工法。
【請求項１７】
前記情報管理装置に記録・保存された測定データを、ＰＣ構造物のケーブルシース内へのグラウト注入作業の管理保証データ、又はグラウトを注入したＰＣケーブルの品質保証データとなすことを特徴とする請求項９〜１６のいずれか１項に記載のＰＣ構造物のケーブルシース内へのグラウト注入工法。
【発明の詳細な説明】
【技術分野】
【０００１】
本発明は、ポストテンション方式ＰＣ構造物のケーブルシース内に圧送ポンプを用いてグラウトを注入するグラウト注入装置、若しくはケーブルシース内にグラウトを注入する際、前記ケーブルシースのグラウト注入側に圧送ポンプを、排出側に真空ポンプを接続し、前記真空ポンプにより前記ケーブルシース内の気圧を十分減圧した後、該真空ポンプを稼働させたまま前記圧送ポンプを運転して前記ケーブルシース内にグラウトを充填する真空引き工程を含むグラウト注入装置において、
圧送ポンプとケーブルシースのグラウト注入口との間に配設された圧力センサ、流量計及び積算流量計を用いてグラウトの注入圧力、グラウトの単位時間当たりの注入量とその時間経過に伴う積算注入量を、さらに真空引き工程を含むグラウト注入装置では真空ポンプと可視ろ過器との間に配設された負圧センサによってケーブルシース内の真空度を測定し、前記圧力センサ、流量計及び積算流量計、及び負圧センサから時々刻々出力される測定データを収集・記録・保存するとともにディスプレイに実時間でグラフ表示し、また注入されるグラウトの水セメント比、使用されるＰＣケーブルの空隙率（｛ケーブルシースの内側断面積−ＰＣ鋼材の断面積｝／ケーブルシースの内側断面積）と長さ、圧送ポンプグラウト吐出量、さらには真空ポンプの吸引負圧などグラウト注入作業にかかわる諸条件の基づいて算出されるグラウトの積算注入量の時間的推移のグラフ等をディスプレイに表示し、この作業条件に基づくグラフと前記積算流量計の測定データのグラフ等をディスプレイの画面上で比較することにより、グラウト注入作業の進捗状況や異常の有無の監視、把握を可能とし、さらにまた、注入作業終了後記録・保存された測定データをプリンタを用いて所定の用紙に印字又はグラフ表示できるＰＣ構造物のケーブルシース内へのグラウト注入装置及びグラウト注入工法に関する。
【背景技術】
【０００２】
近年、橋梁、高架橋、建築物等のＰＣ構造物、特に内ケーブル方式のＰＣ構造物において、ケーブルシース内へのグラウトの充填不良に起因する緊張材の腐食・破断事故が散見されるようになった。
その原因として次のようなことが考えられる。
ポストテンション方式ＰＣ構造物において、ＰＣ鋼材を緊張・定着後にケーブルシースの内壁とＰＣ鋼材の間に注入・充填されるグラウトは、セメントと水と混和剤との混合物であり、注入・充填が効果的に行われるためには、流動性がよく、かつ注入から硬化するまでの間にそれぞれの材料が分離しないという性質を持つグラウトが求められる。しかし、セメントと水との間に存在する比重差によって、ケーブルシース内でグラウトが硬化する間にセメントが下側に沈降分離して上側に水分が残り（ブリージング水）、その水が蒸発して空隙部（空気溜まり）を生じることがあり、この空隙部に長年月の間に外部水が侵入して、ＰＣ鋼材を腐食させ、その結果ＰＣ鋼材が断線する危険が生じる。
【０００３】
そこで、流動性が良好でブリージングの少ないグラウト材が開発されたが、グラウトの注入が圧送ポンプによる圧送で行われることから、グラウト材料の混練時と圧送時に空気が巻き込まれたり、圧力によってブリージングが生じるという問題は残っている。またケーブル材により線のＰＣ鋼材を用いる例がほとんどであるため、より線を構成する複数の素線間にふるい作用や毛細管現象が生じて、セメントと水の分離作用を引き起こすこともある。
【０００４】
また、特開２００２−３０９７７７号公報では、グラウト排出側に真空ポンプを接続してケーブルシース内の気圧を減じ、グラウト注入側に接続したグラウト圧送ポンプの注入・充填効率を高めようという発明がなされている。この発明では、グラウトの充填が不完全になりやすいケーブルの曲がり部分や高位置部分に、先端の閉じた透明な素材で構成された真空パイプをその先端がコンクリート構造物の外部に突出するよう装着し、真空ポンプの運転により低下した該真空パイプ内の気圧に対応して上昇してくるグラウトを目視することでその部分でのグラウトの充填が確認できる構造をとっている。
【０００５】
しかし、ＰＣ構造物のケーブルは、その全体がコンクリート内部に埋め込まれているため、上記いずれの場合もケーブルシース内のグラウトの充填状況や、その後のケーブルの状況を完全に点検・確認するのは困難である。
現状ではＸ線検査・超音波検査・衝撃反射波検査等の非破壊検査方法によりグラウト充填状況の確認作業が行われてはいるが、完全に内部の状況を把握できるまでには至っておらず、ＰＣ鋼材の腐食・破断の恐れが皆無とはなっていない。また、これらの検査はいずれも充填完了後に行われるものであって、グラウト注入時における注入状況や異常発生の有無の監視、把握は、前記圧送ポンプや真空ポンプの運転状況、圧力計の計測値の監視などで行われており、グラウト注入時の作業管理や作業データの保存、解析が十分なされている状況にはない。
【特許文献１】特開２００２−３０９７７７号公報
【発明の開示】
【発明が解決しようとする課題】
【０００６】
本発明の課題は、上記背景技術に鑑み、ポストテンション方式ＰＣ構造物のケーブルシースのグラウト注入側に圧送ポンプを、グラウト排出側に真空ポンプを接続し、前記真空ポンプによりケーブルシース内の気圧を十分減圧させた後に圧送ポンプを運転してグラウトを注入する真空引き工程を含む注入工法において、グラウトの注入圧力、、グラウトの単位時間当たりの注入量及びその時間経過に伴う積算注入量、並びにケーブルシース内の真空度を時々刻々収集・記録・保存するとともに注入作業の進捗状況や異常発生の有無を実時間で監視、把握が可能で、また、注入作業終了後記録・保存した測定データを所定用紙に印字またはグラフ表示できるＰＣ構造物のケーブルシース内へのグラウト注入装置及びグラウト注入工法を提供することにある。
【課題を解決するための手段】
【０００７】
上記課題の解決は、下記手段による。
（１）ポストテンション方式ＰＣ構造物のケーブルシース内に圧送ポンプを用いてグラウトを注入するグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
そして前記圧力センサ、流量計及び積算流量計から時々刻々出力される測定データを収集・記録・保存する情報管理装置とを備えてなることを特徴とするＰＣ構造物のケーブルシース内へのグラウト注入装置。
【０００８】
（２）ポストテンション方式ＰＣ構造物のケーブルシース内に圧送ポンプを用いてグラウトを注入するグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
そして前記圧力センサ、流量計及び積算流量計から時々刻々出力される測定データを収集・記録・保存する情報管理装置と、
前記情報管理装置に収集・記録される前記測定データの時間的推移を実時間でグラフ表示する手段を備えたディスプレイとを備えてなることを特徴とするＰＣ構造物のケーブルシース内へのグラウト注入装置。
【０００９】
（３）前記情報管理装置に、注入されるグラウトの水セメント比、使用されるＰＣケーブルの空隙率と長さ、圧送ポンプの吐出量などグラウト注入作業に係わる諸条件を予め入力する手段と、該作業条件に基づいて算出されるグラウトの積算注入量の時間的推移のグラフ及び注入圧力の設定値を前記ディスプレイに表示する手段を備え、これら注入作業の設定条件に基づくグラフと前記圧力センサ、及び積算流量計の測定データの時間的推移を示すグラフとの比較によって、グラウトの注入状況や異常の有無の監視、把握を実時間で可能にしてなることを特徴とする前項（２）に記載のＰＣ構造物のケーブルシース内へのグラウト注入装置。
【００１０】
（４）ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
前記真空ポンプとケーブルシースのグラウト排出口との間に配設されケーブルシース内の真空度を測定する負圧センサと、
そして前記圧力センサ、負圧センサ、流量計及び積算流量計から時々刻々出力される測定データを収集・記録・保存する情報管理装置とを備えてなることを特徴とするＰＣ構造物のケーブルシース内へのグラウト注入装置。
【００１１】
（５）ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入装置において、
前記圧送ポンプと前記ケーブルシースのグラウト注入口との間に配設されたグラウト注入圧測定用の圧力センサと、注入グラウトの単位時間当たりの流量を測定する流量計及びその時間経過に伴う積算量を測定する積算流量計と、
前記真空ポンプとケーブルシースのグラウト排出口との間に配設されケーブルシース内の真空度を測定する負圧センサと、
そして前記圧力センサ、負圧センサ、流量計及び積算流量計から時々刻々出力される測定データを収集・記録・保存する情報管理装置と、
前記情報管理装置に収集・記録される前記測定データの時間的推移を実時間でグラフ表示する手段を備えたディスプレイとを備えてなることを特徴とするＰＣ構造物のケーブルシース内へのグラウト注入装置。
【００１２】
（６）前記情報管理装置に、注入されるグラウトの水セメント比、使用するＰＣケーブルの空隙率と長さ、圧送ポンプの吐出量、真空ポンプの吸引負圧などグラウト注入作業に係わる諸条件を予め入力する手段と、該作業条件に基づいて算出されるグラウトの積算注入量の時間的推移のグラフ及び注入圧力と吸引負圧の設定値を前記ディスプレイに表示する手段を備え、これら注入作業の設定条件のグラフと前記圧力センサ、負圧センサ、及び積算流量計の測定データの時間的推移を示すグラフとの比較によって、グラウトの注入状況や異常の有無の監視、把握を実時間で可能にしてなることを特徴とする前項（５）に記載のＰＣ構造物のケーブルシース内へのグラウト注入装置。
【００１３】
（７）前記情報管理装置に記録・保存される測定データを所定の用紙に印字又はグラフ表示する手段を備えたプリンタを備えてなることを特徴とする前項（１）〜（６）のいずれか１項に記載のＰＣ構造物のケーブルシース内へのグラウト注入装置。
（８）前記情報管理装置に記録・保存された測定データの前記プリンタへの入力手段として、データカード又はオンラインが用いられることを特徴とする前項（７）に記載のＰＣ構造物のケーブルシース内へのグラウト注入装置。
【００１４】
（９）ポストテンション方式ＰＣ構造物のケーブルシース内に圧送ポンプを用いてグラウトを注入するグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウトの注入圧、注入グラウトの単位時間当たりの流量を測定し、またその時間経過に伴う積算量を測定し、
そして前記圧力センサ、流量計及び積算流量計から時々刻々出力される測定データを情報管理装置に収集・記録・保存することを特徴とするＰＣ構造物のケーブルシース内へのグラウト注入工法。
【００１５】
（１０）ポストテンション方式ＰＣ構造物のケーブルシース内に圧送ポンプを用いてグラウトを注入するグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウト注入圧、注入グラウトの単位時間当たりの流量を測定し、またその時間経過に伴う積算量を測定し、
そして前記圧力センサ、流量計及び積算流量計から時々刻々出力される測定データを情報管理装置に収集・記録・保存し、
前記情報管理装置に収集・記録・保存される前記測定データの時間的推移を実時間でディスプレイにグラフ表示することを特徴とするＰＣ構造物のケーブルシース内へのグラウト注入工法。
【００１６】
（１１）前記情報管理装置に、注入されるグラウトの水セメント比、使用されるＰＣケーブルの空隙率と長さ、圧送ポンプの吐出量などグラウト注入作業に係わる諸条件を予め入力し、該作業条件に基づいて算出されるグラウトの積算注入量の時間的推移のグラフ、及び注入圧力の設定値を前記ディスプレイに表示し、これら注入作業の設定条件に基づくグラフと前記圧力センサ、及び積算流量計の測定データの時間的推移のグラフとの比較によって、グラウトの注入状況や異常の有無の監視、把握を実時間で可能にすることを特徴とする前項（１０）に記載のＰＣ構造物のケーブルシース内へのグラウト注入工法。
【００１７】
（１２）ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウトの注入圧、注入グラウトの単位時間当たりの流量を測定し、またその時間経過に伴う積算量を測定し、
さらに、前記真空ポンプとケーブルシースのグラウト排出口との間にケーブルシース内の真空度を測定する負圧センサを配設して、ケーブルシース内の真空度を測定し、
そして前記圧力センサ、負圧センサ、流量計及び積算流量計から時々刻々出力される測定データを情報管理装置に収集・記録・保存することを特徴とするＰＣ構造物のケーブルシース内へのグラウト注入工法。
【００１８】
（１３）ポストテンション方式ＰＣ構造物のケーブルシース内にグラウトを注入する際、ケーブルシースのグラウト注入側に圧送ポンプを、排出側に真空ポンプを接続し、前記真空ポンプによりケーブルシース内の気圧を十分減圧させた後に該真空ポンプを稼働させたまま前記圧送ポンプを運転して前記ケーブルシース内にグラウトを充填する真空引き工程を含むＰＣ構造物のケーブルシース内へのグラウト注入工法において、
前記圧送ポンプと前記ケーブルシースのグラウト注入口との間にグラウト注入圧測定用の圧力センサと、注入グラウトの単位時間当たりの流量を測定する流量計及びその時間経過に伴う積算量を測定する積算流量計とを配設して、グラウト注入圧力、注入グラウトの単位時間当たりの流量を測定し、またその時間経過に伴う積算量を測定し、
さらに、前記真空ポンプとケーブルシースのグラウト排出口との間にケーブルシース内の真空度を測定する負圧センサを配設して、ケーブルシース内の真空度を測定し、
そして前記圧力センサ、負圧センサ、流量計及び積算流量計から時々刻々出力される測定データを情報管理装置に収集・記録・保存し、
前記情報管理装置に収集・記録・保存される前記測定データの時間的推移を実時間でディスプレイにグラフ表示することを特徴とするＰＣ構造物のケーブルシース内へのグラウト注入工法。
【００１９】
（１４）前記情報管理装置に、注入されるグラウトの水セメント比、使用されるＰＣケーブルの空隙率と長さ、圧送ポンプの吐出量、真空ポンプの吸引負圧などグラウト注入作業に係わる諸条件を予め入力し、該作業条件に基づいて算出されるグラウトの積算注入量の時間的推移のグラフ、及び注入圧力と吸引負圧の設定値を前記ディスプレイに表示し、これら注入作業の設定条件に基づくグラフと前記圧力センサ、負圧センサ及び積算流量計の測定データの時間的推移のグラフとの比較によって、グラウトの注入状況や異常の有無の監視、把握を実時間で可能にすることを特徴とする前項（１３）に記載のＰＣ構造物のケーブルシース内へのグラウト注入工法。
【００２０】
（１５）前記情報管理装置に記録・保存される測定データをプリンタを用いて所定の用紙に印字又はグラフ表示することを特徴とする前項（９）〜（１４）のいずれか１項に記載のＰＣ構造物のケーブルシース内へのグラウト注入工法。
（１６）前記情報管理装置に記録・保存された測定データの前記プリンタへの入力を、データカード又はオンラインで行うことを特徴とする前項（１５）に記載のＰＣ構造物のケーブルシース内へのグラウト注入工法。
【００２１】
（１７）前記情報管理装置に記録・保存された測定データを、ＰＣ構造物のケーブルシース内へのグラウト注入作業の管理保証データ、又はグラウトを注入したＰＣケーブルの品質保証データとなすことを特徴とする前項（９）〜（１６）のいずれか１項に記載のＰＣ構造物のケーブルシース内へのグラウト注入工法。
【発明の効果】
【００２２】
本発明によれば下記のような効果が得られる。
（ア）ケーブルシースのグラウト注入側に配設された注入圧力測定用圧力センサ、流量計及び積算流量計、また真空引き工程を含む場合は前記ケーブルシースのグラウト排出側に配設された真空度測定用の圧力センサそれぞれの測定データを情報管理装置に収集・記録・保存することによって、後日当該グラウト注入作業の進捗状況や異常発生の有無等の確認が容易になり、かつ測定データの集積記録によりグラウト注入作業の問題点の所在が明確になり、改善策の立案に役立つ。
（イ）グラウトの注入・充填作業時に圧送ポンプの注入圧力、さらに真空引き工程を含む場合はケーブルシース内の真空度、単位時間当たりのグラウトの注入量、及びグラウトの積算注入量の推移がディスプレイ上にグラフ表示されるので、グラウト注入作業の進捗状況や異常の有無が実時間でかつ一目で監視・把握でき、異常時への対応も迅速に行える。
（ウ）グラウトの水セメント比、ケーブルシースの長さ、内径等から求められるグラウトの最終充填量などのグラウト注入作業に係わる条件を入力し、該作業条件に基づく注入グラウトの積算量の推移や前記注入圧力、それに真空引き工程を含む場合は真空度の設定値をディスプレイ上に表示することにより、グラウト注入の遅速やグラウト注入時の注入圧力、真空度と設定値との差異が実時間で観測され、必要に応じてグラウトの水セメント比等の条件を修正することが可能になる。
（エ）情報管理装置に記録・保存されたグラウト注入作業時の各測定データをプリンタを用いて所定の用紙に印字又はグラフ表示することができるので、後日関係部署へ提出する書類作成の効率化に寄与する。また、これらの測定データの印刷記録は全ケーブルシースについて得られるので、グラウト注入施工における管理データとしての役割を果たし、グラウト注入作業を確実に実施した証拠として施工主を始めとする関係機関に提出でき、ひいてはＰＣケーブルの品質保証にも役立つ。
【発明を実施するための最良の形態】
【００２３】
本発明の実施の形態を実施例の図に基づいて説明する。
図１は本発明ＰＣ構造体のケーブルシース内へのグラウト注入装置の実施例の概略構成図、図２はディスプレイの表示画面例、図３はプリンタ出力の例である。
図において、１はコンクリート構造物、２はＰＣケーブル、２ａはケーブルシース、２ｂはＰＣ鋼材、３ａは注入側キャップ、３ｂは排出側キャップ、４ａは注入側ホース、４ｂは排出側ホース、５は観測用排出ホース、５ａは開閉栓、６ａは注入側バルブ、６ｂは排出側バルブ、７は排気ホース、８はグラウトミキサ、９はホッパー、１０は圧送ポンプ、１１は流量計、１２は可視ろ過器、１２ａは排出バルブ、１３は真空ポンプであり、また２１は情報管理装置、２２はディスプレイ、２３はプリンタ、２４は圧力センサ、２５は負圧センサ、２６は測定データ伝送線である。
なお、図１〜図３はいずれも真空引き工程を含むグラウト注入の場合のものであり、以下この真空引き工程を含むグラウト注入装置及びグラウト注入工法について述べるが、圧送ポンプのみによるグラウト注入の場合には、図１の真空ポンプ及び負圧センサの使用はなく、図２、図３の吸引圧力の表示はない。また、図２、図３の縦軸及び横軸に表示した数値もある実施例の場合であって、ケーブルシースの空隙率や長さ、注入するグラウトの水セメント比、使用する圧送ポンプや真空ポンプの能力等によって変化するのは言うまでもない。
【００２４】
図１に示すように、本実施例のＰＣ構造物のケーブルシース内へのグラウト注入装置は、グラウトミキサ８で混練されたグラウトを圧送ポンプ１０によって圧送し、コンクリート構造物１に配設されたＰＣケーブル２のケーブルシース２ａとＰＣ鋼材２ｂとの空隙に注入する際、前記ＰＣケーブル２のグラウト排出側に接続された真空ポンプ１３によって前記ケーブルシース２ａ内の気圧を前もって減圧するよう構成されたＰＣ構造物のケーブルシース内へのグラウト注入装置において、前記圧送ポンプ１０の出力側に接続され、前記圧送ポンプ１０から送出されるグラウトの注入量を測定する流量計及び積算流量計１１と、前記グラウトを前記ＰＣケーブル２のグラウト注入口に導く注入側ホース４ａの途中に配設されグラウトの注入圧力を測定する圧力センサ２４と、可視ろ過器１２と真空ポンプ１３を接続している排気ホース７の途中に配設され前記真空ポンプ１３の吸引圧力を測定する負圧センサ２５と、これら流量計及び積算流量計１１、圧力センサ２４及び負圧センサ２５から時々刻々出力される測定データを測定データ伝送線２６を介して収集・記録・保存する情報管理装置２１と、前記情報管理装置２１に収集・記録される前記測定データの推移を実時間でグラフ表示する手段を備えたディスプレイ２２と、前記測定データを所定の用紙に印字またはグラフ表示する手段を備えたプリンタ２３から構成されている。
【００２５】
本実施例のグラウト注入装置におけるＰＣ構造物のケーブルシース内へのグラウト注入作業は、まず注入側バルブ６ａと観測用排出ホース５の開閉栓５ａ、及び可視ろ過器１２の排出バルブ１２ａを閉じ、排出側バルブ６ｂを開いて真空ポンプ１３を作動させケーブルシース２ａ内の空気を吸引して減圧することから始まる。このとき可視ろ過器１２はケーブルシース２ａ内の異物やゴミ類を除去する役割を果たす。
真空ポンプ１３の作動によってケーブルシース２ａ内の真空度が達成し得る最大負圧に達したとき、真空ポンプ１３を一時停止して負圧の変化の有無を負圧センサ２５の測定データで確認し、測定データに変化がなければ真空ポンプ１３を再起動する。
次にグラウトミキサ８、ホッパー９及び圧送ポンプ１０を作動させ、注入側バルブ６ａを開いてグラウトを注入側ホース４ａを介してケーブルシース２ａ内に注入する。この場合、グラウト注入は、ケーブルシース２ａ内の減圧による吸引力と圧送ポンプ１０の加圧力とにより容易に行える。
グラウトのケーブルシース２ａ内への注入・充填が進み、排出用ホース４ｂから可視ろ過器１２にグラウトが排出され、一定量が貯留された後排出側バルブ６ｂを閉じて真空ポンプ１３を停止するとともに開閉栓５ａを開き、観測用排出ホース５から密度が許容量以上の良質なグラウトが排出されるようになったことを確認した後に開閉栓５ａを閉じ、圧力センサ２４で測定される注入圧力が０．８ＭＰａ以上で圧送ポンプ１０に許容される値まで加圧した後、圧送ポンプ１０を停止する。
【００２６】
上記注入作業の経緯、つまり真空ポンプ１３の吸引圧力、圧送ポンプ１０の注入圧力、単位時間ごとのグラウトの注入量及びその積算注入量は、前記圧力センサ２４、負圧センサ２５と、流量計及び積算流量計１１が時々刻々測定し、その測定データは測定データ伝送線２６を介して情報管理装置２１に送られ、記録・保存される。
また、前記情報管理装置２１は、測定データ伝送線２６を介して送られてきた前記各測定データを実時間で前記ディスプレイ２２に転送し、前記ディスプレイ２２に各測定データの時間的変化を、例えば図２に示すように単位時間当たりのグラウト注入量とその積算注入量、グラウト注入圧力、及び真空ポンプの吸引圧力の時間的変化を同一画面上に表示し、あるいは個々の測定データの１種又は２種以上を１画面に切り替えて表示する。
なお、複数のディスプレイにそれぞれの測定データの時間的変化を分散表示するようにしてもよい。
さらに、注入グラウトの水セメント比、ケーブルシース長や内径等から求められる最終充填量などグラウト注入作業に係わる条件を前記情報管理装置２１に入力し、前記作業条件に基づくグラウトの積算注入量の推移のグラフ、及び注入圧力と真空度の設定値を前記ディスプレイ２２に予め表示しておき、これら表示と前記各測定データの時間的変化とを比較することによって注入作業の進捗状況や異常の有無を目視により実時間で監視・把握することもできる。なおこの場合、前記条件に基づく積算注入量のグラフには排出用ホース４ｂから可視ろ過器１２に排出されるグラウトの量をも見込んで表示しておく必要があり、さらにまた、上記ＰＣ構造物のケーブルシース内へのグラウト注入完了後、前記情報管理装置２１に記録・保存された総積算注入量から前記排出用ホース４ｂから可視ろ過器１２に排出されるグラウトの総量を差し引く補正を行っておく必要がある。
【００２７】
前記情報管理装置２１に記録・保存された測定データは、データカード又はオンラインでプリンタ２３に転送すれば、例えば図３に示すグラウト注入管理記録のような所定の用紙の所定欄に必要データを印字、又はグラフ化して印刷することができ、後日関係部署へ提出する書類作成の効率化にも寄与する。これらの測定データの印刷記録は全ケーブルシースについて得られるので、グラウト施工における管理データとしての役割を果たし、グラウト注入作業を確実に実施した証拠として施工主を始めとする関係機関に提出でき、ひいてはＰＣケーブルの品質保証にも役立つこととなる。
【００２８】
本実施例では、流量計及び積算流量計１１、圧力センサ２４、情報管理装置２１及びディスプレイ２２を分散配置した形で説明したが、前記流量計及び積算流量計１１、圧力センサ２４、情報管理装置２１及びディスプレイ２２を同一筐体に収容し、これに負圧センサ２５からの測定データ伝送線２６を接続するだけで設営でき、作業現場の省力化が図れるグラウト注入装置とすることも好ましい。
【図面の簡単な説明】
【００２９】
【図１】本発明ＰＣ構造体のケーブルシース内へのグラウト注入装置の実施例の概略構成図
【図２】ディスプレイの表示画面例
【図３】プリンタ出力の例
【符号の説明】
【００３０】
１：コンクリート構造物
２：ＰＣケーブル
２ａ：ケーブルシース
２ｂ：ＰＣ鋼材
３ａ：注入側キャップ
３ｂ：排出側キャップ
４ａ：注入側ホース
４ｂ：排出側ホース
５：観測用排出ホース
５ａ：開閉栓
６ａ：注入側バルブ
６ｂ：排出側バルブ
７：排気ホース
８：グラウトミキサ
９：ホッパー
１０：圧送ポンプ
１１：流量計及び積算流量計
１２：可視ろ過器
１２ａ：排出バルブ
１３：真空ポンプ
２１：情報管理装置
２２：ディスプレイ
２３：プリンタ
２４：圧力センサ
２５：負圧センサ
２６：測定データ伝送線
【図１】
2005133397.tif 000003
【図２】
2005133397.tif 000004
【図３】
2005133397.tif 000005